(57)【要約】【課題】バージンシール性を保持したままでプルリングを設ける必要をなくし、型構造を簡単にして生産性を向上させ、開栓時の操作も簡単で開け易く、プルリング及び口蓋を中栓から切り離さず、ごみが出ないスコア付き打栓キャップを得る【解決手段】中栓２ａとカバーキャップ３とを有する容器用打栓キャップであって、中栓２ａは容器に固着する中栓本体６と中栓本体６の口部を閉じる口蓋７ａとを有し、口蓋７ａは射出ゲートを有し周縁部がヒンジ部と切断可能なスコア１４を介して中栓本体６に連結していてスコア１４が切断した状態ではヒンジ１７の回りに変位経路に沿って回転変位可能であり、中栓本体６は口蓋７ａ上の係止用部位の変位経路の近傍に配設されていて係止用部位１０ａと干渉可能なストッパー部材１８ａを有する【選択図】    図１
2004331113.tif 000002
【特許請求の範囲】
【請求項１】
中栓と前記中栓を開閉するカバーキャップとを有する容器用打栓キャップであって、前記中栓は容器に固着する中栓本体と前記中栓本体の口部を閉じる口蓋とを有し、前記口蓋はゲート痕を有し周縁部がヒンジ部と切断可能なスコアを介して前記中栓本体に連結していて前記スコアが切断した状態では前記ヒンジの回りに変位経路に沿って回転変位可能であり、前記中栓本体は前記口蓋上の係止用部位の変位経路の近傍に配設されていて前記係止用部位と干渉可能なストッパー部材を有することを特徴とするスコア付き打栓キャップ。
【請求項２】
前記口蓋の前記係止用部位は前記周縁部上に配置されていることを特徴とする請求項１記載のスコア付き打栓キャップ。
【請求項３】
前記口蓋は前記中栓本体の口部を閉じる口蓋本体と前記口蓋本体に一体をなして立ち上っている立壁とを有し、前記ゲート痕は前記立壁上に位置しており、前記係止用部位は前記立壁上に設けられていることを特徴とする請求項１記載のスコア付き打栓キャップ。
【請求項４】
前記口蓋は前記中栓本体の口部を閉じる口蓋本体と前記口蓋本体に一体をなして立上っている第１の立壁と、前記口蓋本体及び前記第１の立壁と一体をなして立上っている第２の立壁とを有し、前記ゲート痕は前記第１の立壁上に位置しており、前記係止用部位は前記第１の立壁上に設けられていることを特徴とする請求項１記載のスコア付き打栓キャップ。
【発明の詳細な説明】
【０００１】
【産業上の利用分野】
この発明は容器の口部を閉じて、引き裂きにより開口するスコア付き打栓キャップに関するものである。
【０００２】
【従来の技術】
容器の口部に装着されるキャップのうち、打栓によって装着を行う打栓キャップにおいて、バージンシール性が必要な場合にはプルリング付きのスコアキャップの構造とするのが一般的である。
【０００３】
スコアキャップは容器の口部を中栓で閉じて、開口させる場合には中栓のスコアで囲まれた口蓋をスコアから引き裂いて開口させる構造である。
【０００４】
しかるに、従来のスコアキャップでは、プルリングがあって成形性の面から型構造が複雑となり、生産性が悪くなる。
【特許文献１】特開平７−３０９３６１号公報
すなわち、図５に示すように従来のスコア付き打栓キャップ１０１は中栓１０２とカバーキャップ１０３とを有し、中栓１０２はスコア１１４で区画された口蓋１０７を有し、口蓋１０７の上面にはプルリング１１０が設けられている。この打栓キャップ１０１を射出成形する場合は金型組１２５はパーティングラインＰＬを境にして、上部に型ｆ、型ａ、型ｂ及び型ｃが必要であり、下部には型ｄ及び型ｅが必要である。このうち型ｆはプルリング１１０を形成するためのものである。このように金型１２５の構造が細かく複雑であるので、冷却水路１２４も製品に接近して形成することができないので冷却能力が低く生産性を向上させることができない。また使用する際に、プルリング１１０とともに口蓋１０７をスコア１１４で切り離すため、プルリング１１０及び口蓋１０７をごみとして廃棄する手間がかかる。また、口蓋１０７をスコア１１４で切り離した瞬間、内容物が飛び散る場合がある。さらにはスコア１１４で切り離される前に、プルリング１１０自体がちぎれてしまい、開口できない場合もある。
【０００５】
この発明は上記の如き事情に鑑みてなされたものであって、バージンシール性を保持したままでプルリングを設ける必要をなくし、型構造を簡単にして生産性を向上させ、開栓時の操作も簡単で開け易く、プルリング及び口蓋を中栓から切り離さず、ごみが出ないスコア付き打栓キャップを提供することを目的とするものである。
【０００６】
【構成】
この目的に対応して、この発明のスコア付き打栓キャップは、中栓と前記中栓を開閉するカバーキャップとを有する容器用打栓キャップであって、前記中栓は容器に固着する中栓本体と前記中栓本体の口部を閉じる口蓋とを有し、前記口蓋は射出ゲートを有し周縁部がヒンジ部と切断可能なスコアを介して前記中栓本体に連結していて前記スコアが切断した状態では前記ヒンジの回りに変位経路に沿って回転変位可能であり、前記中栓本体は前記口蓋上の係止用部位の変位経路の近傍に配設されていて前記干渉用部位と干渉可能なストッパー部材を有することを特徴としている。
【０００７】
【実施の態様】
以下、この発明の詳細を一実施態様を示す図面について説明する。
図１において、１は打栓キャップである。打栓キャップ１は中栓２ａとカバーキャップ３とを開閉ヒンジ４によって連結して備えている。
【０００８】
中栓２ａは容器ノズル（図示せず）に装着して容器からの内容液の注出の案内を行う部材であり、内容液の流出口５を有している。
【０００９】
カバーキャップ３は開閉ヒンジ４を中心として回転変位して中栓２ａを開閉するものである。中栓２ａは中栓本体６と口蓋７ａとを備えている。中栓本体６は中央部に流出口５を形成する部材で、上部に流出口５の周囲に内側から流出案内樋８と戻り液受け筒１１を備えており、また下部には内スカート１２及び外スカート１３を備えていて、内スカート１２と外スカート１３の間に容器ノズルを挾んで、容器ノズルに固着される。
【００１０】
口蓋７ａは中栓本体６の流出口５を閉じて配設されており、基端部１６を残して口蓋７ａはその周縁部が切断可能なスコア１４を介して流出口５の内縁部に連結して流出口５を閉じている。流出口５の流出側の先端１５はスコア１４を切断する際の初期開口が形成される部位であるが、これと１８０°反対側の基端部１６はヒンジ１７が形成される部位であり、このヒンジ１７はスコア１４の肉厚がスコアの他の部分よりも大きく、またはスコアが形成されず、可撓性を有するが、スコア１４が切断される力では切断されない肉厚を有しており、したがってスコア１４が切断された時でも、ヒンジ１７は可撓性を有し口蓋７ａと中栓本体６の連結を維持する。口蓋７ａには射出成形の時に樹脂の流れ込み口となったゲート痕９が形成されている。口蓋７ａを手指で押し下げた時スコア１４が切断し口蓋７ａが中栓本体６から切り離されつつヒンジ１７を中心とした回転変位経路をたどって、中栓本体６の下方である容器の内方に変位する。
【００１１】
中栓本体６の下面からはストッパー部材１８ａが立ち下がって形成されている。ストッパー部材１８ａは切り離された口蓋７ａの周縁部が構成する係止部位１０ａの回転変位経路の近傍に配置されていて回転変位する口蓋７ａの周縁部上の係止部位１０ａと干渉して口蓋７ａの弾性復元力による戻り変位を抑止する。
【００１２】
このように構成された中栓２ａの開封時の動作は次の通りである。中栓２ａの口蓋７ａを手指で下方に押し下げる。この押し下げの力によって連結しているヒンジ１７の反対側の先端１５に初期開口が形成され、続いてスコア１４の切断が後方に進んで、口蓋７ａはヒンジ１７だけで中栓本体６に連結した状態となる。
【００１３】
続いて口蓋７ａを押し下げていくと、口蓋７ａがヒンジ１７を中心として回転変位し、さらにストッパー部材１８ａを弾性変形によって通過して下降し、流出口５が開口する。こうして容器内の内容液が流出口５を通して注出可能な状態となる。手指を口蓋７ａから離して押し下げ力が除去されると口蓋７ａは弾性復元力によって元の方向に変位しようとするが、ストッパー部材１８ａが口蓋７ａの周縁部上の係止部位１０ａと干渉して口蓋７ａの復元変位を抑止し流出口５の開口は保持される。
【００１４】
図２にはこの発明の他の実施態様に係る中栓２ｂが示されている。この中栓２ｂにおいては口蓋７ｂの上面に支柱２０と先後方向に立壁２１を立ち上げて設けてあり、支柱２０上にゲート痕９が形成され、また係止部位１０ｂは立壁２１の上端の側面が構成し、また、この係止部位１０ｂと干渉するストッパー部材１８ｂは流出口５の先端１５が構成する。
【００１５】
このように構成された中栓２ｂでは、口蓋７ｂの戻り変位は係止部１０ｂが流出口５の先端１５と干渉して抑止され、ほぼ立壁２１の高さの分だけ口蓋７ｂが下に変位した状態で保持されて流出口５の開口が維持される。
【００１６】
図３にはこの発明の他の実施態様に係る中栓２ｃが示されている。この中栓２ｃにおいては口蓋７ｃの上面に先後方向に立壁２２とこれに直交する左右方向に他の立壁２３を立ち上げて設けてあり、立壁２２上にゲート痕９が形成されており、また係止部位１０ｃは立壁２２の上端の側面が構成し、また係止部位１０ｃと干渉するストッパー部材１８ｃは流出口５の先端１５が構成する。
【００１７】
このように構成された中栓２ｃでは、口蓋７ｃの戻り変位は係止部位１０ｃが流出口５の先端１５と干渉して抑止される。他の立壁２３は口蓋７を押し下げる時の手指を掛ける部位として利用することができる。
【００１８】
以上の中栓２ａ、２ｂ、２ｃを射出成形によって成形する場合の金型組２５は、一例として中栓２ｂについて示すと、図４に示すように、プルリングを成形するための金型が不要となるので、パーティングラインＰＬを境にして上方においては、型ａ、ｂ、ｃが必要となり、型の数が少なくなるだけ金型の構造が簡単になると共に、冷却用水路２４も型ａ内に製品の近くまで接近させて形成することができるので、製品の生産性が向上する。
【００１９】
【発明の効果】
この発明では中栓本体６の流出口５をスコア１４で連結した口蓋７で閉じている構造は従来の打栓キャップ１と同じであるので、従来と同様にバージンシール性を良好に確保していると同時に、スコア１４の切断を口蓋７ａ、７ｂ、７ｃの引き上げではなしに、口蓋７ａ、７ｂ、７ｃの押し下げにより実現するので、プルリングを無くすことができ、開栓動作を容易にしかつ型構造を簡単にして冷却能力を向上させ、生産性を向上させる。また、口蓋の周縁部のスコアを全部切り離しせず、ヒンジ１７で口蓋を連結させるので、内容物の飛び散りがなく口蓋のごみが発生することがない。また、ストッパー部材１８ａ、１８ｂ、１８ｃによる戻り防止機構を設けることにより、口蓋が内容液流出の邪魔になることがない。さらには、プルリング自体がない構造のため、開封時、プルリングが破断し、開口できないということがない。
【００２０】
以上の説明から明らかな通り、この発明によればバージンシール性を保持したままでプルリングを設ける必要をなくし、型構造を簡単にして生産性を向上させ、開栓時の操作も簡単で開け易く、プルリング及び口蓋を中栓から切り離さず、ごみが出ないスコア付き打栓キャップを得ることができる。
【００２１】
【図面の簡単な説明】
【図１】この発明の打栓キャップを示す図で、（ａ）は平面図、（ｂ）は縦断面図、（ｃ）は口蓋を押し下げた状態の縦断面図。
【図２】この発明の打栓キャップを示す図で、（ａ）は平面図、（ｂ）は縦断面図、（ｃ）は口蓋を押し下げた状態の縦断面図。
【図３】この発明の打栓キャップを示す図で、（ａ）は平面図、（ｂ）は縦断面図、（ｃ）は口蓋を押し下げた状態の縦断面図。
【図４】打栓キャップを成形する金型組を示す縦断面図。
【図５】従来の打栓キャップを成形する金型組を示す縦断面図。
【符号の説明】
１                      打栓キャップ
２ａ、２ｂ、２ｃ        中栓
３                      カバーキャップ
４                      開閉ヒンジ
５                      流出口
６                      中栓本体
７ａ、７ｂ、７ｃ        口蓋
８                      流出案内桶
９                      ゲート痕
１０ａ、１０ｂ、１０ｃ  係止部位
１１                    戻り液受け筒
１２                    内スカート
１３                    外スカート
１４                    スコア
１５                    先端
１６                    基端部
１７                    ヒンジ
１８ａ、１８ｂ、１８ｃ  ストッパー部材
２０                    支柱
２１                    立壁
２２                    立壁
２３                    立壁
２４                    冷却用水路
２５                    金型組
１０１                  スコア付き打栓キャップ
１０２                  中栓
１０３                  カバーキャップ
１０７                  口蓋
１１０                  プルリング
１１４                  スコア
１２４                  冷却用水路
１２５                  金型組
【図１】
2004331113.tif 000003
【図２】
2004331113.tif 000004
【図３】
2004331113.tif 000005
【図４】
2004331113.tif 000006
【図５】
2004331113.tif 000007